(57)【要約】【課題】ＥＴＣシステムを利用した有料道路走行後に長距離割引サービス、その他サービスによる通行料金の割引率、割引金額を算出して利用者に知らせる。【解決手段】ＥＴＣ車載器とカーナビゲーション装置とにより構成する。ＥＴＣ車載器は入口料金所通過時には入口料金所番号を、出口料金所通過時には出口料金所番号と通行料金をカーナビゲーション装置に通報する。カーナビゲーション装置は入口料金所番号を受け取った時点から地図の道路上に位置付けた自車位置の監視を続け、自車が有料道路を外れることなく出口料金所を通過した場合には予め記憶しておいた割引率計算データに基づいて長距離割引サービスによる割引率、割引金額を算出する。更にその他のサービスを含む全体の割引率、割引金額を算出しそれらを通行料金と共に利用者に報知する。【選択図】図４
2006107262.tif 000002
【特許請求の範囲】
【請求項１】
ＥＴＣシステムを採用した有料道路の料金割引について報知する料金割引報知システムであって、ＥＴＣ車載器とカーナビゲーション装置とにより構成され、
前記ＥＴＣ車載器は入口料金所通過時には入口料金所番号を、出口料金所通過時には出口料金所番号と通行料金とを各料金所の制御装置との交信により取得して前記カーナビゲーション装置に通報する料金所情報通報手段を備え、
前記カーナビゲーション装置は自車位置を検出して地図の道路上に位置付ける自車位置検出手段と、該自車位置検出手段にて検出された自車位置を監視して入口料金所から出口料金所まで有料道路を外れることなく走行したことを確認する走行監視手段と、該走行監視手段にて肯定的確認がされた場合に予め記憶しておいた通行料金の長距離利用割引リストと割引がない場合の通行料金リストを参照して当該長距離利用に適用される通行料金の割引率又は割引金額を算出する料金割引算出手段と、該算出値を報知する報知手段と、を備えることを特徴とする料金割引報知システム。
【請求項２】
請求項１に記載の料金割引報知システムにおいて、前記料金割引算出手段は、前記ＥＴＣ車載器から受け取った通行料金と予め記憶しておいた料金割引がない場合の通行料金リストとから当該利用に適用された各種割引サービスによる通行料金の合計の割引率又は割引金額を更に算出し、前記報知手段は該算出値を更に報知することを特徴とする料金割引報知システム。
【請求項３】
請求項１又は２に記載の料金割引報知システムにおける当該請求項に記載のＥＴＣ車載器とカーナビゲーション装置とを一体に構成したことを特徴とする料金割引報知装置。
【請求項４】
請求項１又は２に記載の料金割引報知システムにおいて、前記カーナビゲーション装置は、前記料金割引算出手段にて算出された通行料金の割引率又は割引金額を前記ＥＴＣ車載器に通報する通報手段を更に備え、該ＥＴＣ車載器は通報を受けた算出値を報知する報知手段を更に備えることを特徴とする料金割引報知システム。
【請求項５】
有料道路の入口料金所通過時には入口料金所番号を、出口料金所通過時には出口料金所番号と通行料金とを各料金所の制御装置との交信により取得する機能を備えたＥＴＣ車載器と接続して使用するカーナビゲーション装置であって、
自車位置を検出して地図の道路上に位置付ける自車位置検出手段と、前記ＥＴＣ車載器より入口料金所番号を受け取った時点より該自車位置検出手段にて検出された自車位置を監視して入口料金所から出口料金所まで有料道路を外れることなく走行したことを確認する走行監視手段と、該走行監視手段にて肯定的確認がされた場合に予め記憶しておいた通行料金の長距離利用割引リストと割引がない場合の通行料金リストを参照して当該長距離利用に適用される通行料金の割引率又は割引金額を算出する料金割引算出手段と、該算出値を報知する報知手段と、を備えることを特徴とするカーナビゲーション装置。
【請求項６】
請求項５に記載のカーナビゲーション装置において、前記料金割引算出手段は、前記ＥＴＣ車載器から受け取った通行料金と予め記憶しておいた料金割引がない場合の通行料金リストとから当該利用に適用された各種割引サービスによる通行料金の合計の割引率又は割引金額を更に算出し、前記報知手段は該算出値を更に報知することを特徴とするカーナビゲーション装置。
【請求項７】
有料道路に設置された路上機との間で通信を行なうことにより料金を自動で収受する自動料金収受手段と、
該自動料金収受手段が、前記路上機より受信した入口料金所情報及び出口料金所情報に基づいて料金割引の有無と割引率を求める料金割引算出手段と、
該料金割引算出手段にて求められた前記料金割引の有無と割引率を報知する報知手段と、を備えることを特徴とする料金割引報知装置。
【請求項８】
有料道路の料金所に設置された制御装置と料金収受のための交信を行なうＥＴＣ車載器であって、入口料金所通過時には入口料金所番号を、出口料金所通過時には出口料金所番号と通行料金とを前記制御装置より取得する料金所情報取得手段と、
該料金所情報取得手段にて取得した通行料金と予め記憶しておいた料金割引がない場合の通行料金リストとから適用された通行料金の合計の割引率又は割引金額を算出する料金割引算出手段と、該算出値を報知する報知手段と、を備えることを特徴とするＥＴＣ車載器。
【請求項９】
有料道路の料金所に設置された制御装置と料金収受のための交信を行なうＥＴＣ車載器であって、入口料金所通過時には入口料金所番号を、出口料金所通過時には出口料金所番号を前記制御装置より取得する料金所情報取得手段と、
予め記憶しておいた通行料金の長距離利用割引リストと割引がない場合の通行料金リストを参照して当該長距離利用に適用される通行料金の割引率又は割引金額を算出する料金割引算出手段と、該算出値を報知する報知手段と、を備えることを特徴とするＥＴＣ車載器。
【請求項１０】
有料道路の料金所に設置された制御装置と料金収受のための交信を行なうＥＴＣ車載器であって、入口料金所通過時には入口料金所番号と入場時刻を、出口料金所通過時には出口料金所番号と退場時刻を前記制御装置より取得する料金所情報取得手段と、
予め記憶しておいた入口料金所と出口料金所間の規定所要時間リストと、走行に該規定所要時間以上の時間を要した場合に適用される通行料金の渋滞割引リストと、割引がない場合の通行料金リストとを参照して前記料金所情報取得手段にて取得した情報に基づき当該利用に適用される通行料金の渋滞割引率又は渋滞割引金額を算出する料金割引算出手段と、該算出値を報知する報知手段と、を備えることを特徴とするＥＴＣ車載器。
【請求項１１】
有料道路の料金所に設置された制御装置と料金収受のための交信を行なうＥＴＣ車載器であって、入口料金所通過時には入場時刻を、出口料金所通過時には退場時刻を前記制御装置より取得する料金所情報取得手段と、
予め記憶しておいた入退場時間により決められた通行料金の時間帯別入退場割引リストと割引がない場合の通行料金リストを参照して前記料金所情報取得手段にて取得した情報に基づき当該利用に適用される通行料金の割引率又は割引金額を算出する料金割引算出手段と、該算出値を報知する報知手段と、を備えることを特徴とするＥＴＣ車載器。
【請求項１２】
有料道路の料金所に設置された制御装置と料金収受のための交信を行なうＥＴＣ車載器であって、入口料金所通過時には入口料金所番号を、出口料金所通過時には出口料金所番号を前記制御装置より取得する料金所情報取得手段と、
車両が有料道路の特定の割引区間経路を利用したことを確認するための検問所に設置された制御装置と検問所通過確認を受ける交信を行なうと共に該検問所番号を取得する検問所情報取得手段と、
予め記憶しておいた割引区間経路毎の割引リストと割引がない場合の通行料金リストを参照して、前記検問所情報取得手段にて取得した前記検問所番号から割引区間経路利用による通行料金の割引率又は割引金額を算出する料金割引算出手段と、該算出値を報知する報知手段と、を備えることを特徴とするＥＴＣ車載器。
【発明の詳細な説明】
【技術分野】
【０００１】
本発明は、有料道路において無線を介して料金の自動収受を行なう自動料金収受システム（以下、ＥＴＣシステムという。）において、長距離利用による割引サービス、その他の理由による割引サービスにより適用された割引金額、割引率を利用者に報知する技術に関する。
【背景技術】
【０００２】
近年、高速道路などの有料道路においては料金所渋滞の解消、キャッシュレス化による利便性の向上、管理コストの節減等を図ることを目的として、料金所で一旦停止することなく料金支払いのできるＥＴＣ（Electronic Toll Collection）システムの採用が拡がっている。
【０００３】
このＥＴＣシステムにおいては、車両はＥＴＣシステム用の車載器（以下、ＥＴＣ車載器という。）を搭載し、これにＥＴＣカードと呼ばれる専用のＩＣカードを挿入して料金所のＥＴＣ車線を通過する。すると料金所の制御装置（路上機）とＥＴＣ車載器との間で料金支払いに必要な情報が無線で交換され、係員の手を介することなく課金処理が自動的に行なわれる。料金の支払いはＥＴＣカードに記録された利用者の口座からの引き落とし、プリペイド式ＥＴＣカードの残高減額等の形で行なわれ、金額はＥＴＣ車載器の表示画面への表示、音声による報知、ＥＴＣ車載器と接続したカーナビゲーション装置の画面への表示等で利用者に知らされる。
【０００４】
ＥＴＣシステムはこのように便利なものであるが、このシステムを利用するためには利用者はＥＴＣ車載器を自費購入して取り付ける必要があり、その普及はＥＴＣシステムの管理会社にとって満足できるものとはなっていない。このため管理会社はＥＴＣ車載器の普及を図るため種々の助成措置を講じている。
【０００５】
その一つにＥＴＣシステムを利用して長距離走行した場合に適用される長距離割引サービスがある。この長距離割引サービスは、ＥＴＣ車載器を搭載して入口料金所のＥＴＣゲートを通って有料道路に入った車両が、途中、一般道路に降りることなく有料道路のみを一定距離以上走行して出口料金所のＥＴＣゲートから退出した場合に適用される料金割引サービスである。
【０００６】
この他、交通事故、一斉帰省等のために渋滞が生じて走行時間が異常に長くかかった場合に通行料金を割引く渋滞割引も検討されている（例えば、特許文献１、２参照）。またこの他にも、有料道路を夜間に利用した場合の夜間割引サービスや、都心部の渋滞緩和のための環境ロードプライシングによる料金割引サービス等が検討されている。
【０００７】
しかしながら、このような通行料金の割引が適用された場合、ＥＴＣシステムの制御装置からは割引後の料金がＥＴＣ車載器に知らされるのみで、割引の有無、割引率、割引金額は知らされない。このため利用者は割引後の料金をＥＴＣ車載器の表示で知ることができるのみで、割引内容の詳細を知ることができないという問題がある。
【特許文献１】特開２００２−１７５５４９号公報
【特許文献２】特開２００３−９９８３２号公報
【特許文献３】特開２００２−１７５５４７公報
【発明の開示】
【発明が解決しようとする課題】
【０００８】
本発明はこのような背景からなされたもので、その課題は、ＥＴＣシステムを利用した有料道路走行に長距離割引サービス、その他サービスによる料金割引が適用される場合において、その割引適用の有無と割引率、割引金額を利用者に報知する料金割引報知システム、料金割引報知装置を提供することにある。
【課題を解決するための手段】
【０００９】
前記課題を解決するための請求項１に記載の発明は、ＥＴＣシステムを採用した有料道路の料金割引について報知する料金割引報知システムであって、ＥＴＣ車載器とカーナビゲーション装置とにより構成され、前記ＥＴＣ車載器は入口料金所通過時には入口料金所番号を、出口料金所通過時には出口料金所番号と通行料金とを各料金所の制御装置との交信により取得して前記カーナビゲーション装置に通報する料金所情報通報手段を備え、前記カーナビゲーション装置は自車位置を検出して地図の道路上に位置付ける自車位置検出手段と、該自車位置検出手段にて検出された自車位置を監視して入口料金所から出口料金所まで有料道路を外れることなく走行したことを確認する走行監視手段と、該走行監視手段にて肯定的確認がされた場合に予め記憶しておいた通行料金の長距離利用割引リストと割引がない場合の通行料金リストを参照して当該長距離利用に適用される通行料金の割引率又は割引金額を算出する料金割引算出手段と、該算出値を報知する報知手段と、を備えることを特徴とする料金割引報知システムである。
【００１０】
このような料金割引通報システムによれば、出口料金所のＥＴＣゲートを通過した時にＥＴＣシステム利用による有料道路の長距離利用に対するサービス（長距離割引サービス）による料金割引率又は割引金額が報知されるため利用者は料金割引内容の詳細を知ることができる。長距離割引サービスは入口料金所から出口料金所までを有料道路上のみを走行した場合に適用されるサービスであるが、本構成では車両が有料道路上のみを走行したか否かを監視して確認するため長距離割引サービス適用の有り無しの判断を間違えることがない効果も奏する。
【００１１】
また、請求項２に記載の発明は、請求項１に記載の料金割引報知システムにおいて、前記料金割引算出手段は、前記ＥＴＣ車載器から受け取った通行料金と予め記憶しておいた料金割引がない場合の通行料金リストとから当該利用に適用された各種割引サービスによる通行料金の合計の割引率又は割引金額を更に算出し、前記報知手段は該算出値を更に報知することを特徴とする。
【００１２】
このような料金割引報知システムによれば、利用者は通行料金に適用された長距離割引サービスによる料金割引率又は割引金額と、その他の理由による割引も含む合計の割引率又は割引金額を知ることができる。
【００１３】
また、請求項３に記載の発明は、請求項１又は２に記載の料金割引報知システムにおける当該請求項に記載のＥＴＣ車載器とカーナビゲーション装置とを一体に構成したことを特徴とする料金割引報知装置である。
【００１４】
このように一体に構成すれば、コンピュータ機能を有する制御回路、表示装置、音声出力装置等を共用できる他、ＥＴＣ車載器機能を有する部分とカーナビゲーション機能を有する部分とのインターフェイスも簡単となる効果を奏する。
【００１５】
また、請求項４に記載の発明は、請求項１又は２に記載の料金割引報知システムにおいて、前記カーナビゲーション装置は、前記料金割引算出手段にて算出された通行料金の割引率又は割引金額を前記ＥＴＣ車載器に通報する通報手段を更に備え、該ＥＴＣ車載器は通報を受けた算出値を報知する報知手段を更に備えることを特徴とする。
【００１６】
このようにＥＴＣ車載器から報知する方式でも、利用者は通行料金に適用された長距離割引サービスによる料金割引率又は割引金額やその他の理由による割引も含む全体の割引率又は割引金額を知ることができる。
【００１７】
また、請求項５に記載の発明は、有料道路の入口料金所通過時には入口料金所番号を、出口料金所通過時には出口料金所番号と通行料金とを各料金所の制御装置との交信により取得する機能を備えたＥＴＣ車載器と接続して使用するカーナビゲーション装置であって、自車位置を検出して地図の道路上に位置付ける自車位置検出手段と、前記ＥＴＣ車載器より入口料金所番号を受け取った時点より該自車位置検出手段にて検出された自車位置を監視して入口料金所から出口料金所まで有料道路を外れることなく走行したことを確認する走行監視手段と、該走行監視手段にて肯定的確認がされた場合に予め記憶しておいた通行料金の長距離利用割引リストと割引がない場合の通行料金リストを参照して当該長距離利用に適用される通行料金の割引率又は割引金額を算出する料金割引算出手段と、該算出値を報知する報知手段と、を備えることを特徴とするカーナビゲーション装置である。
【００１８】
このようなカーナビゲーション装置によれば、利用者は長距離割引サービスによる料金割引の割引率又は割引金額を知ることができる。
【００１９】
また、請求項６に記載の発明は、請求項５に記載のカーナビゲーション装置において、前記料金割引算出手段は、前記ＥＴＣ車載器から受け取った通行料金と予め記憶しておいた料金割引がない場合の通行料金リストとから当該利用に適用された各種割引サービスによる通行料金の合計の割引率又は割引金額を更に算出し、前記報知手段は該算出値を更に報知することを特徴とする。
【００２０】
このようなカーナビゲーション装置によれば、利用者は通行料金に適用された長距離割引サービスによる料金割引率又は割引金額と、その他の理由による割引も含む全体の割引率又は割引金額を知ることができる。
【００２１】
また、請求項７に記載の発明は、有料道路に設置された路上機との間で通信を行なうことにより料金を自動で収受する自動料金収受手段と、該自動料金収受手段が、前記路上機より受信した入口料金所情報及び出口料金所情報に基づいて料金割引の有無と割引率を求める料金割引演算手段と、該料金割引演算手段にて求められた前記料金割引の有無と割引率を報知する報知手段と、を備えることを特徴とする料金割引報知装置である。
【００２２】
このような構成の料金割引報知装置によれば、有料道路を利用した利用者は、当該利用についての料金割引の適用の有無と適用された料金割引率とを出口料金所を通過した時点で知ることが可能となる。
【００２３】
また、請求項８に記載の発明は、有料道路の料金所に設置された制御装置と料金収受のための交信を行なうＥＴＣ車載器であって、入口料金所通過時には入口料金所番号を、出口料金所通過時には出口料金所番号と通行料金とを前記制御装置より取得する料金所情報取得手段と、該料金所情報取得手段にて取得した通行料金と予め記憶しておいた料金割引がない場合の通行料金リストとから適用された通行料金の合計の割引率又は割引金額を算出する料金割引算出手段と、該算出値を報知する報知手段と、を備えることを特徴とするＥＴＣ車載器である。
【００２４】
ここでＥＴＣ車載器にはＥＴＣシステム専用に構成された車載器の他に、ＥＴＣ車載器としての機能が他の車載装置の追加機能、付属機能、一部機能として実現されている場合のそれら車載装置も本明細書でいうＥＴＣ車載器に含むものとする。例えば、ＥＴＣ車載器としての機能がカーナビゲーション装置の付加機能として実現されている場合には、そのカーナビゲーション装置もＥＴＣ車載器に含むものとする。以下、本明細書において同じ。
【００２５】
このようなＥＴＣ車載器によれば、利用者は何らかの理由による通行料金の割引適用の有無とその割引率又は割引金額を知ることができる。
【００２６】
また、請求項９に記載の発明は、有料道路の料金所に設置された制御装置と料金収受のための交信を行なうＥＴＣ車載器であって、入口料金所通過時には入口料金所番号を、出口料金所通過時には出口料金所番号を前記制御装置より取得する料金所情報取得手段と、予め記憶しておいた通行料金の長距離利用割引リストと割引がない場合の通行料金リストを参照して当該長距離利用に適用される通行料金の割引率又は割引金額を算出する料金割引算出手段と、該算出値を報知する報知手段と、を備えることを特徴とするＥＴＣ車載器である。
【００２７】
このようなＥＴＣ車載器によれば、出口料金所のＥＴＣゲートを通過した時にＥＴＣシステム利用による有料道路の長距離利用に対するサービス（長距離割引サービス）による料金割引率又は割引金額が報知されるため利用者は料金割引の割引率又は割引金額を知ることができる。
【００２８】
また、請求項１０に記載の発明は、有料道路の料金所に設置された制御装置と料金収受のための交信を行なうＥＴＣ車載器であって、入口料金所通過時には入口料金所番号と入場時刻を、出口料金所通過時には出口料金所番号と退場時刻を前記制御装置より取得する料金所情報取得手段と、予め記憶しておいた入口料金所と出口料金所間の規定所要時間リストと、走行に該規定所要時間以上の時間を要した場合に適用される通行料金の渋滞割引リストと、割引がない場合の通行料金リストとを参照して前記料金所情報取得手段にて取得した情報に基づき当該利用に適用される通行料金の渋滞割引率又は渋滞割引金額を算出する料金割引算出手段と、該算出値を報知する報知手段と、を備えることを特徴とするＥＴＣ車載器である。
【００２９】
本構成のＥＴＣ車載器は、渋滞割引を計算して報知する構成を備えたもので、利用者が通行料金の渋滞割引率又は渋滞割引金額を知ることができる効果を奏する。
【００３０】
また、請求項１１に記載の発明は、有料道路の料金所に設置された制御装置と料金収受のための交信を行なうＥＴＣ車載器であって、入口料金所通過時には入場時刻を、出口料金所通過時には退場時刻を前記制御装置より取得する料金所情報取得手段と、予め記憶しておいた入退場時間により決められた通行料金の時間帯別入退場割引リストと割引がない場合の通行料金リストを参照して前記料金所情報取得手段にて取得した情報に基づき当該利用に適用される通行料金の割引率又は割引金額を算出する料金割引算出手段と、該算出値を報知する報知手段と、を備えることを特徴とするＥＴＣ車載器である。
【００３１】
本構成のＥＴＣ車載器は、夜間割引などの割引を計算して報知する構成を備えたもので、利用者が有料道路への入退場時刻により適用される通行料金の割引率又は割引金額を知ることができる効果を奏する。
【００３２】
また、請求項１２に記載の発明は、有料道路の料金所に設置された制御装置と料金収受のための交信を行なうＥＴＣ車載器であって、入口料金所通過時には入口料金所番号を、出口料金所通過時には出口料金所番号を前記制御装置より取得する料金所情報取得手段と、車両が有料道路の特定の割引区間経路を利用したことを確認するための検問所に設置された制御装置と検問所通過確認を受ける交信を行なうと共に該検問所番号を取得する検問所情報取得手段と、予め記憶しておいた割引区間経路毎の割引リストと割引がない場合の通行料金リストを参照して、前記検問所情報取得手段にて取得した前記検問所番号から割引区間経路利用による通行料金の割引率又は割引金額を算出する料金割引算出手段と、該算出値を報知する報知手段と、を備えることを特徴とするＥＴＣ車載器である。
【００３３】
本構成のＥＴＣ車載器は、都心部の渋滞を緩和するための環境ロードプライシングと呼ばれる通行料金の割引を扱えるように構成したものである。環境ロードプライシングは渋滞緩和のために車両を特定の経路に導くために割引区間を設けたもので、その割引区間に検問所を設け、そこにＥＴＣシステムの制御装置（路上機）を設置して通過した車両を確認して料金割引を行なう。本構成のＥＴＣ車載器は、検問所通過時に通過確認のための交信を制御装置と行ない検問所番号を取得する。そして、取得した検問所番号に基づいて割引率又は割引金額を計算して知らせるため、利用者がそのような割引の適用有無と割引率又は割引金額を知ることができる効果を奏する。
【発明を実施するための最良の形態】
【００３４】
以下、本発明の実施形態について図面を参照して詳しく説明する。図１は、本実施形態に係るＥＴＣシステムを利用した有料道路の料金割引報知システムの全体構成と、その周辺設備との関係を示したものである。料金割引報知システム１は、ＥＴＣ車載器２とカーナビゲーション装置３とにより構成される。
【００３５】
ＥＴＣ車載器２は、ＥＴＣシステムの入口料金所に設置された入口料金所制御装置（入口料金所の路上機）４、及び出口料金所に設置された出口料金所制御装置（出口料金所の路上機）５との間で通行料金支払いに必要な情報交換を無線で行なうことができる。ＥＴＣ車載器２とカーナビゲーション装置３とは直接、あるいは車内ＬＡＮを介して接続されており必要な情報交換行なうことができる。
【００３６】
カーナビゲーション装置３は後述の通信装置３７を備えており、通信ネットワーク６を介して有料道路管理会社のサーバ７と交信できるようになっている。サーバ７には、通行料金の計算に必要な各種データが保管されている。本実施形態では、通信ネットワーク６として携帯電話網８とこれにつながるインターネット９とからなる汎用ネットワークを使用している。
【００３７】
図２は、ＥＴＣ車載器２の構成例を示したものである。ＥＴＣ車載器２は、制御回路２１、無線通信回路２２、表示装置２３、音声出力装置２４、ＩＣカード・インターフェイス回路２５、カーナビゲーション装置インターフェイス回路２６、アンテナ２７を備える。
ＩＣカード・インターフェイス回路２５には、不揮発性メモリを備えたＩＣカード２８が挿入される。ＩＣカード２８には、ＩＣカード２８のカード番号、車両の管理番号等が予め記録されている。また、入口、出口料金所を通過した際には入口料金所制御装置４、出口料金所制御装置５から受け取った料金所番号、通過日時、通行料金等の料金所情報が記録される。
【００３８】
表示装置２３は出口料金所制御装置５から受け取った通行料金を表示するためのもので、例えば液晶表示装置で構成される。音声出力装置２４は、同じく通行料金を音声で利用者に伝えるためのものである。カーナビゲーション装置インターフェイス回路２６は、カーナビゲーション装置３と交信を行なうためのインターフェイス回路である。制御回路２１はＥＴＣ車載器２の全体動作を制御するためのもので、マイクロコンピュータを用いて構成されており内部にはＣＰＵ２１ａ、ＲＡＭ２１ｂ、ＲＯＭ２１ｃ及び図示しないＩ／Ｏインターフェースとこれらを接続するバス、電源装置などを備える。
【００３９】
図３は、カーナビゲーション装置３の構成例を示したものである。カーナビゲーション装置３は、制御回路３１、ＧＰＳ受信機３２、操作スイッチ群３３、表示装置３４、音声出力装置３５、磁気ディスク装置（以下、ＨＤＤという。）３６、通信装置３７、アンテナ３７ａ、ＥＴＣ車載器インターフェイス回路３８を備える。
【００４０】
制御回路３１は、カーナビゲーション装置３の動作全般を制御する機能を有するものでマイクロコンピュータを主体に構成されている。即ち、制御回路３１は、ＣＰＵ３１ａ、ＲＡＭ３１ｂ、ＲＯＭ３１ｃ及び図示しないＩ／Ｏインターフェースとこれらを接続するバス、電源装置などを備えて構成されている。
【００４１】
これらのうちＲＡＭ３１ｂには、プログラム実行時の一時データや表示装置３４に表示する地図データなどが一時的に格納されるほか、ＨＤＤ３６に格納されている各種プログラムがＣＰＵ３１ａによる実行のために読み出されて格納される。ＲＯＭ３１ｃには電源立ち上げ直後にハードウェアを初期化するための初期化プログラム、ＨＤＤ３６に記憶されているプログラムをＲＡＭ３１ｂ上に読み出すためのブートプログラム、重要な制御情報などが格納されている。
【００４２】
ＧＰＳ受信機３２は複数のＧＰＳ用人工衛星からの信号を受信して制御回路３１に伝達するもので、その情報に基づいて車両の現在位置が算出される。操作スイッチ群３３はコマンドやデータなどの各種情報入力のための手段で、例えばカラー液晶ディスプレイ上に形成されたタッチスイッチやリモコンスイッチで構成される。表示装置３４は、道路地図、車両の現在位置、経路案内、後述する通行料金等を表示するためのもので、例えばカラー液晶ディスプレイで構成される。音声出力装置３５は、制御回路３１からの出力情報を人工音声で伝えるためのものである。
【００４３】
ＨＤＤ３６内には地図データやカーナビゲーション装置３を動作させるための各種プログラムが予め格納されている。このプログラムには、後述する本発明の機能を発揮させるためのプログラムの他に一般的なカーナビゲーション機能を実行するためのプログラム、例えばＧＰＳ受信機３２からの信号に基づいて現在位置を算出する機能、検出された車両位置を地図の道路上に位置付けるマップマッチング処理機能、目的地までの経路を探索する経路探索機能、その経路探索結果に従い案内する経路案内機能などを実行するプログラムが含まれる。
【００４４】
通信装置３７は通信ネットワーク６を介してサーバ７と交信するためのものであり、ＥＴＣ車載器インターフェイス回路３８はＥＴＣ車載器２と交信するためのものである。以上のような装置の他にもカーナビゲーション装置３には、車両速度を検出する車速センサ、車体方位を検出するジャイロスコープ等が必要により取り付けられる。
【００４５】
次に、ＥＴＣシステムを利用して有料道路を走行した際に適用される各種割引サービスの有無とその割引率、割引金額を利用者に報知する実施形態について、割引の種類別に処理フローを参照して説明する。
（第１の実施形態）
本実施形態は、有料道路を長距離区間利用した場合に適用される長距離割引について、割引の有無と割引率とを利用者に知らせる実施形態である。図４は、この場合にＥＴＣ車載器とカーナビゲーション装置とが行なう処理フローを示したものである。
【００４６】
料金割引の計算と報知の処理は、ＥＴＣ車載器２とカーナビゲーション装置３との連係動作により実行される。最初にカーナビゲーション装置３側で、全ての処理に先行して有料道路管理会社のサーバ７より有料道路通行料金を計算するための各種データのダウンロードが実行される（ステップＳ１）。この処理は、利用者がカーナビゲーション装置３のメニュー画面から通行料金計算データのダウンロードメニューを操作スイッチ群３３を操作して選択したときに制御回路３１により実行される。
【００４７】
サーバ７よりダウンロードされる通行料金計算データは、図５〜図７に示す３種類のリストにより構成されている。図５は、入口−出口料金所間の通行料金を表にした通行料金リストである。このリストに記載された通行料金は、割引サービスが適用されない場合の料金である。
【００４８】
図６は、入口−出口料金所間の距離、即ち、車両による有料道路の利用距離を一覧表にしたものの例である。図７は、ＥＴＣの長距離割引サービスが適用される場合の割引率を規定したリスト（長距離利用割引リスト）の例である。この長距離割引サービスとは、ＥＴＣ車載器２を搭載した車両が入口料金所のＥＴＣゲートを通って有料道路に入り、そのまま有料道路上のみを所定距離以上走行して、即ち、一度も一般道路に降りることなく走行して出口料金所のＥＴＣゲートから退出した場合に適用される割引サービスである。これはＥＴＣシステムの利用促進と、有料道路管理会社の管理費の削減を目的として提供されるサービスである。これら図５〜図７のリストはダウンロードされてＨＤＤ３６内に記憶される。
【００４９】
このような事前準備をした後に、ＥＴＣ車載器２を搭載した車両が入口料金所を通過すると入口料金所情報が取得される（ステップＴ１）。車両が入口料金所のＥＴＣゲートに入ると、入口料金所制御装置４から発せられている問いかけ電波を無線通信回路２２がアンテナ２７で捉えて制御回路２１に知らせる。これをトリガとして入口料金所制御装置４と制御回路２１との間で料金収受に必要な情報交換が行なわれる。
【００５０】
ＥＴＣ車載器２からは、ＥＴＣ車載器２のＩＤ、ＥＴＣ車載器２を搭載する車両番号、車種情報等の車載器固有情報と、ＥＴＣ車載器２に挿入したＩＣカード２８に記録されているＩＣカード番号、口座番号、有効期限等の契約情報とが入口料金所制御装置４に送信される。反対に入口料金所制御装置４からは、入口料金所番号と入口料金所通過日時を含む入口料金所情報がＥＴＣ車載器２に送信される。制御回路２１は入口料金所情報を受け取ってＩＣカード２８に記録すると同時にカーナビゲーション装置３に伝達する（ステップＴ２）。カーナビゲーション装置３の制御回路３１は、入口料金所番号と入口料金所通過日時を含む入口料金所情報を受け取ってＨＤＤ３６内に記憶する（ステップＳ２）。
【００５１】
カーナビゲーション装置３が入口料金所情報を受け取ったことは、車両が有料道路に入ったことを意味する。そこで制御回路３１は、ＲＡＭ３１ｂ上、あるいはＨＤＤ３６上に「有料道路上フラグ」を設けてＯＮ状態とする（ステップＳ３）。この「有料道路上フラグ」は、有料道路に入った時点でＯＮ状態とされ、その後、有料道路を降りて一般道路に入るとＯＦＦ状態に戻されるフラグである。
続くステップＳ４〜Ｓ８のフローは、車両が有料道路上を継続して走行しているか否かを監視するフローである。ステップＳ４では自車位置の検出を行なう。自車位置は、ＧＰＳ受信機３２で受信した信号に基づいて制御回路３１内で必要な演算処理をして求められる。
【００５２】
続くステップＳ５ではマップマッチング処理を行なう。マップマッチング処理は、ＧＰＳの信号に基づいて算出した位置には誤差が含まれているため、車両が道路上を走行しているとの前提で車両位置を補正して地図の道路上に位置付ける処理をいう。この処理により、車両は地図の最寄りの道路上に位置付けられる。ステップＳ６では、位置付けられた道路が有料道路であるか否かの判定を行なう。有料道路であるか否かは、ＨＤＤ３６に記憶された地図データを参照して判定する。
【００５３】
自車位置が有料道路上でなかった場合、即ち、一般道路上に位置していた場合にはステップＳ７に移り「有料道路上フラグ」をＯＦＦ状態にする。有料道路上にあった場合にはステップＳ８に移り「有料道路上フラグ」がＯＮ状態にあるか否かを判定する。「有料道路上フラグ」がＯＦＦ状態に戻す処理は、ステップＳ７以外に出口料金所から退出した後のステップＳ１１でも行なわれる。
【００５４】
ステップＳ８で「有料道路上フラグ」がＯＮ状態であった場合にはステップＳ４に戻り、再び車両が有料道路上を走行しているか否かの監視を継続する。なお、ステップＳ４に戻る際には、少しの待機時間をとってから戻るようにするとよい。「有料道路上フラグ」がＯＦＦ状態とされた場合、あるいはＯＦＦ状態であった場合にはステップＳ４に戻らないで、ステップＳ９が実行されるまで待機する。
【００５５】
車両が有料道路の走行を終えて出口料金所を通過する際には出口料金所情報が取得される（ステップＴ３）。車両が出口料金所のＥＴＣゲートに入ると、出口料金所制御装置５からの問いかけ電波がアンテナ２７で捉えられ制御回路２１に知らされる。これをトリガとして出口料金所制御装置５と制御回路２１との間で情報交換が行なわれる。
【００５６】
ＥＴＣ車載器２からは、入口料金所にて送信されたと同様に車両番号、ＥＴＣ車載器２のＩＤ、ＩＣカード２８に記録されているＩＣカード番号、口座番号、有効期限等の契約情報が出口料金所制御装置５に送信される。これに対して出口料金所制御装置５からは、出口料金所番号、出口料金所通過日時、算出された通行料金を含む出口料金所情報がＥＴＣ車載器２に送信される。制御回路２１は受け取った出口料金所情報をＩＣカード２８に記録すると同時に入口料金所番号、出口料金所番号、通行料金をカーナビゲーション装置３に伝達する（ステップＴ４）。カーナビゲーション装置３の制御回路３１は、受け取った情報をＨＤＤ３６内に記憶する（ステップＳ９）。
それと同時に制御回路３１は、その時点における「有料道路上フラグ」のＯＮ／ＯＦＦの状態をＨＤＤ３６内に保存する（ステップＳ１０）。そして「有料道路上フラグ」をＯＦＦ状態とする（ステップＳ１１）。
【００５７】
次のステップＳ１２以降は、料金割引の計算と結果の報知を行なうフローである。ステップＳ１２では、今回の通行料金に適用された料金割引率、割引金額の算出を行なう。制御回路３１はＥＴＣ車載器２から受け取った入口料金所番号、出口料金所番号とから図５に示した入口−出口料金所間の通行料金リストを参照して通行料金を読み取る。図５のリストに記載された通行料金は、割引が適用されない場合の通行料金である。従って、この通行料金リストから読み取った料金とＥＴＣ車載器２から受け取った実際の通行料金との差を計算することで割り引かれた料金が判明する。その割引料金を通行料金リストから読み取った割引がない場合の料金で割り算することで全体の割引率が判明する。
【００５８】
続くステップＳ１３では、今回の有料道路利用に対して先に説明した長距離割引サービスが適用されるか否かを判断し、適用される場合にはその割引率を算出する。割引率の算出は次のように行なう。まず、制御回路３１は、ステップＳ１０で保存した「有料道路上フラグ」の状態をチェックする。保存した「有料道路上フラグ」がＯＦＦ状態であった場合には、長距離割引サービスは適用されず割引率はゼロである。これは、有料道路上のみを走行せずに、途中で一般道路を走行したことを意味するからである。
【００５９】
保存した「有料道路上フラグ」がＯＮ状態であった場合には長距離割引サービスが適用される。この場合、制御回路３１は、ＥＴＣ車載器２から受け取った入口料金所番号、出口料金所番号とから図６を参照して利用距離を読み取る。そして図７を参照して利用距離に対する割引率を読み取る。ここで読み取った割引率は、ステップＳ１２で算出した全体の割引率に含まれる内数である。二つの割引率の差は長距離割引サービス以外の割引サービスに基づいて適用された割引率である。
【００６０】
続くステップＳ１４では、通行料金とステップＳ１２、Ｓ１３で算出した割引率とをＥＴＣ車載器２に伝達する。それと同時に、ステップＳ１５にて通行料金と割引率を表示装置３４上に、例えば図８に示すように表示して利用者に知らせる。ＥＴＣ車載器２側でも、受け取った通行料金と割引率とを表示装置２３上に図８と同じようにして表示して利用者に知らせる（ステップＴ５）。利用者への割引の詳細の報知には、音声出力装置２４、３５による音声による報知も併用するとよい。
【００６１】
このようにして本実施形態の料金割引報知システム１によれば、出口料金所のＥＴＣゲートを通過すると、ＥＴＣシステムの出口料金所制御装置５により通報された実際の通行料金が利用者に知らされると同時に、本システムにより算出された全体の割引率、割引金額及び長距離割引サービスによる割引率、割引金額も知らされる。これにより利用者は、出口料金所の制御装置５からの情報のみでは知ることのできない料金割引の適用の有無とその割引の詳細を知り、確認することができる。
【００６２】
なお、特許請求の範囲に記載したＥＴＣ車載器の料金所情報通報手段は、本実施形態では無線通信回路２２、アンテナ２７、制御回路２１、カーナビゲーション装置インターフェイス回路２６と料金所情報取得と通報のためのプログラムにより構成される。また、カーナビゲーション装置の自車位置検出手段は、ＧＰＳ受信機３２、制御回路３１、ＨＤＤ３６に記憶された地図データ、位置検出プログラム、マップマッチング処理プログラムにより構成される。走行監視手段は、制御回路３１、地図データ、走行監視プログラムにより構成される。料金割引算出手段は、制御回路３１と料金割引算出プログラムにより構成される。カーナビゲーション装置の報知手段は、表示装置３４、音声出力装置３６、制御回路３１と報知用プログラムにより構成される。カーナビゲーション装置からＥＴＣ車載器への通報手段は、ＥＴＣ車載器インターフェイス回路３８、制御回路３１と通報用プログラムにより構成される。ＥＴＣ車載器の報知手段は、表示装置２３、音声出力装置２４、制御回路２１と報知用プログラムにより構成される。
【００６３】
（第２の実施形態）
本実施形態は、ＥＴＣ車載器のみで各種の料金割引の算出を行ない利用者に知らせる実施形態である。使用するＥＴＣ車載器２ａの構成を図９中に示す。本実施形態のＥＴＣ車載器２ａは、第１の実施形態で説明した図２のＥＴＣ車載器２と類似の構成であるため同一部分には同一符号が付してある。
【００６４】
ハードウェア構成として異なる点は、図２のＥＴＣ車載器２にあったカーナビゲーション装置インターフェイス回路２６が通信装置２９に置き換わっている点と操作スイッチ３０が追加されている点である。通信装置２９は無線で通信ネットワーク６とつながり、通信ネットワーク６を介して有料道路管理会社のサーバ７と交信できるようになっている。サーバ７は第１の実施形態の場合と同様に通行料金の計算に必要な各種データが保管されたサーバであり、有料道路管理会社により管理されるものである。通信ネットワーク６は、図９に例示したような携帯電話網８とこれにつながるインターネット９とからなる汎用ネットワークである。
【００６５】
本実施形態はこのような構成の下で、通行料金に対して適用される各種割引サービスによる個々の割引率、割引金額及びそれらの合計の割引率、割引金額を算出して利用者に知らせるものである。割引サービスとしては、長距離利用割引サービス、渋滞割引サービス、夜間利用割引サービスを対象としている。その制御フローを図１０を参照して説明する。
【００６６】
最初のステップＡ１では、サービス７より有料道路通行料金を計算するための各種データを取得する。この処理は、利用者がＥＴＣ車載器２ａの操作スイッチ３０を操作することにより開始される。その指示を受けて制御回路２１が通信装置２９に指示してサーバ７にアクセスして取得する。取得したデータはＲＯＭ２１ｃあるいはＩＣカード２８に記憶しておく。取得するデータの内容については、後のステップでそれらデータを参照する際に説明する。
【００６７】
このような事前準備をした後にＥＴＣ車載器２ａを搭載した車両が入口料金所を通過すると、その際に入口料金所情報を取得する（ステップＡ２）。この入口料金所情報の取得は、第１の実施形態の図４のステップＴ１で説明した内容と同じである。取得された情報には入口料金所番号、入口料金所通過日時が含まれる。取得情報はＩＣカード２８に記憶しておく。
その後、車両が有料道路の走行を終えて出口料金所を通過する際には出口料金所情報を取得する（ステップＡ４）。この出口料金所情報の取得は、第１の実施形態の図４のステップＴ３で説明した内容と同じである。取得された情報には通行料金、出口料金所番号、出口料金所通過日時が含まれる。
【００６８】
続くステップＡ５〜Ａ８のフローは、通行料金の割引率、割引額の算出を行なうフローである。最初のステップＡ５では、今回の利用に対して適用された各種割引サービスの合計の割引率と割引金額の算出を行なう。その算出方法は、図４のステップＳ１２の場合と同様である。即ち、今回の利用に対する通行料金はステップＡ４にて受け取った出口料金所情報に含まれている。一方、割引が適用されない場合の図５に例示したような入口−出口料金所間の通行料金リストをステップＡ１にて取得しておく。取得済みの入口料金所番号、出口料金所番号とこの通行料金リストとから割引が適用されない場合の通行料金が判明する。割引の適用されない通行料金から今回の通行料金を引くことにより今回の利用に対して適用された合計の割引金額が算出でき、その値を割引がない通行料金で割ることにより合計の割引率を算出できる。算出した値はＲＡＭ２１ｂに記憶しておく。
【００６９】
続くステップＡ６では、今回の利用に対して適用された長距離割引サービスによる割引率と割引金額の算出を行なう。その算出方法は、図４のステップＳ１３の場合と同様である。但し、本実施形態では車両が有料道路上のみを走行して出口料金所に到達したか否かの監視は行なっていないので、取得済みの入口料金所番号、出口料金所番号のみに基づいて算出する。このように算出しても、入口料金所と出口料金所との間にＥＴＣゲートを通らずに一般道路に降りる出口がない場合には長距離割引サービス適用の有無の判断を間違うことはない。算出は、ステップＡ１で取得した図６に例示の入口−出口料金所間の利用距離リストと図７に例示の長距離利用割引リストに基づいて割引金額と割引率を第１の実施形態で説明したと同様に算出する。
【００７０】
続くステップＡ７では、今回の利用に対して適用された渋滞割引サービスによる割引率と割引金額の算出を行なう。渋滞割引サービスは、入口料金所と出口料金所間の走行に要した時間が、規定所要時間以上であった場合に適用される割引サービスである。割引の計算は走行に要した時間を渋滞割引リストに照らして算出する。走行に要した時間は、取得済みの入口料金所通過日時と出口料金所通過日時とから算出できる。
【００７１】
渋滞割引リストはステップＡ１にてサーバ７から取得したリストで、図１１に例示する入口料金所と出口料金所間の規定所要時間リストと、規定所要時間を超えた分の時間の規定所要時間に対する割合を基準に設定された図１２に例示の割引率リストとからなる。入口料金所通過日時と出口料金所通過日時とから実際にかかった所要時間を算出し、図１１の規定所要時間と比較して超過の所要時間を算出する。その超過所要時間を規定所要時間で割って超過率を算出し、その超過率に対する割引率を図１２のリストから読み取る。割引金額は、その割引率を図５の通行料金リストから読み取った料金に掛けて算出する。これにより渋滞割引率と渋滞割引金額とが求まる。
【００７２】
続くステップＡ８では、今回の利用に対して適用された夜間割引サービスによる割引率と割引金額の算出を行なう。夜間割引サービスにより割引率は、有料道路への入場時刻、退場時刻により決定されるものである。時刻は夜間でない場合もある。図１３はその入退場時刻による割引率リスト（時間帯別入退場割引リスト）の例である。このリストはステップＡ１で取得しておく。入場時刻、退場時刻はステップＡ１、Ａ２で取得済みであるので、その時刻を基に図１３のリストから割引率を読み取り、その割引率を図５の通行料金リストから読み取った料金に掛けて割引金額を算出する。
【００７３】
最後のステップＡ９では、ステップＡ５〜Ａ８で算出した各種の割引金額、割引率とを図１４に例示するような一覧表にして表示装置２３に表示し利用者に知らせる。この場合、音声出力装置２４による音声による通報を併用してもよい。
このように本実施形態のＥＴＣ車載器２ａによれば、通行料金についての長距離割引、渋滞割引、夜間割引の金額と割引率、合計の割引金額と割引率とが通行料金、割引がない場合の通行料金等と一緒に利用者に知らされる。従って、利用者側からみると適用された割引の明細を直ちに知ることができる利点がある。
【００７４】
（第３の実施形態）
本実施形態は、環境ロードプライシングと呼ばれる割引サービスについての割引金額と割引率とを利用者に報知するＥＴＣ車載器の実施形態である。ＥＴＣ車載器の構成は第２の実施形態で説明した図９中のＥＴＣ車載器２ａと同一である。
【００７５】
環境ロードプライシングは、都心部などの渋滞を緩和するために考えられた割引サービスである。図１５に例示した道路地図で説明する。図１５中のａ〜ｄ点は道路の合流点又は分岐点を示す。Ａ、Ｂ、Ｄは入口料金所、Ｃ、Ｅは出口料金所である。図のａ点からｂ点に向かう道路の交通量が多くて渋滞を起こし易い場合に、ｃ点、ｄ点を通る道路を通ってｂ点に向かう車両に料金割引の特典を与えてａ点、ｂ点間の渋滞を緩和しようとするのが環境ロードプライシングによる割引サービスの考えである。この場合、入口料金所Ｄから入場した車両は、元々、ａ−ｂ間を通過しない車両であるので割引の特典は与えられない。また、出口料金所Ｅから退場する車両も、ａ−ｂ間を通っていないので割引の特典は与えられない。
【００７６】
即ち、ａ、ｃ、ｄ、ｂ点を結ぶ経路が割引区間経路であって、出口料金所Ｃでは入口料金所Ａ又はＢから入場してｃ−ｄ間を通った車両、又は入口料金所Ｄから入場しないでｃ−ｄ間を通った車両を判別してその車両にのみ割引の特典が与えられる。従って、割引適用の有無を決めるには、車両がｃ−ｄ間を通ったか否かを判別する必要がある。本実施形態ではその判別のためにｃ−ｄ間に通過車両を認識するための検問所が設けられている場合を扱う。このような検問所にて通過車両を認識して記憶しておけば、出口料金所Ｃに設置された有料道路管理会社の制御装置は、退場する車両が環境ロードプライシングによる割引サービスの対象となる車両か否かを判別することができる。
【００７７】
この検問所には、入口料金所、出口料金所と同じようにＥＴＣゲートが設けられ、制御装置（路上機）とＥＴＣ車載器２ａとの間で無線交信が行なわれるものとする。そして、通過車両の車両番号が制御装置に記憶されるものとする。ＥＴＣ車載器２ａの方は、検問所番号と通過したことの確認信号を制御装置から取得してＩＣカード２８に記憶できるようにしておく。このような前提の下でのＥＴＣ車載器２ａの処理を図１６のフロー図を参照して説明する。
【００７８】
最初のステップＢ１では、第２の実施形態の図１０に示したステップＡ１と同じくサーバ７より通行料金を計算するための各種データをダウンロードして記憶する。続くステップＢ２、Ｂ３も図１０のステップＡ２、Ａ３と同様で、入口料金所通過の際に入口料金所情報を取得して記憶する。
ステップＢ４、Ｂ５は、前述した検問所Ｆを通過する際の処理で、検問所Ｆの制御装置と交信して検問所番号を取得し記憶する。続くステップＢ６も図１０のステップＡ４と同じで、出口料金所通過の際に出口料金所情報を取得する。
【００７９】
ステップＢ７では、取得した情報に基づいて環境ロードプライシングによる割引金額と割引率の算出を行なう。環境ロードプライシングによる割引リストは、図１７に例示したようなもので、このリストはステップＢ１でダウンロードしておく。割引リストには、検問所番号、除く入口料金所番号、割引料金が含まれている。図１７の割引リストには一つの割引区間経路についてのデータしか示してないが、割引区間が複数ある場合には割引区間毎のデータが記載される。
【００８０】
出口料金所を通過した際、ＥＴＣ車載器２ａは記憶している検問所番号に基づいて対応する「除く入口料金所番号」を図１７の割引リストから読み取る。「除く入口料金所番号」は、前述したようにその番号の入口料金所から入場した場合には割引が適用されないことを意味している。ＥＴＣ車載器２ａは、入口料金所情報に含まれる入口料金所番号を参照して割引適用の有無を判断する。適用される場合には対応する割引料金を読み取る。割引率はその値を図５の通行料金リストから読み取った通行料金で割って求める。最後のステップＢ８では、算出した割引率と割引料金を表示装置２３と音声出力装置２４を使用して利用者に報知して終了する。
【００８１】
このようにして本実施形態のＥＴＣ車載器２ａによれば、環境ロードプライシングによる割引金額と割引率とが報知される。従って、従って、利用者側からみると適用された割引金額と割引率を直ちに知ることができる利点がある。
【００８２】
なお、特許請求の範囲に記載したＥＴＣ車載器の料金所情報通報手段は、第２、第３の実施形態では無線通信回路２２、アンテナ２７、制御回路２１、カーナビゲーション装置インターフェイス回路２６と料金所情報取得のためのプログラムにより構成される。検問所情報取得手段は、無線通信回路２２、アンテナ２７、制御回路２１、カーナビゲーション装置インターフェイス回路２６と検問所情報取得のためのプログラムにより構成される。料金割引算出手段は、制御回路２１と割引率算出のためのプログラムにより構成される。報知手段は、表示装置２３、音声出力装置２４、制御回路２１と報知用プログラムにより構成される。
【図面の簡単な説明】
【００８３】
【図１】第１の実施形態に係る料金割引報知システムの全体構成を示す図である。
【図２】第１の実施形態に係るＥＴＣ車載器の構成例である。
【図３】第１の実施形態に係るカーナビゲーション装置の構成例である。
【図４】第１の実施形態に係る料金割引報知システムの処理フローである。
【図５】入口−出口料金所間の通行料金リストの例である。
【図６】入口−出口料金所間の利用距離リストの例である。
【図７】長距離割引サービスが適用される場合の料金割引率リスト（長距離利用割引リスト）の例である。
【図８】第１の実施形態に係る通行料金と料金割引率の表示例である。
【図９】第１、第２の実施形態に係るＥＴＣ車載器の構成例である。
【図１０】第２の実施形態に係るＥＴＣ車載器の処理フローである。
【図１１】入口料金所と出口料金所間の規定所要時間リストの例である。
【図１２】規定所要時間を超えた時間の規定所要時間に対する割合を基準に設定された割引率リストの例である。
【図１３】時間帯別入退場割引リストの例である。
【図１４】第２の実施形態に係る利用者への割引一覧の表示例である。
【図１５】環境ロードプライシングを説明するための道路地図である。
【図１６】第３の実施形態に係るＥＴＣ車載器の処理フローである。
【図１７】環境ロードプライシングによる割引リストの例である。
【符号の説明】
【００８４】
図面中、１は料金割引報知システム、２はＥＴＣ車載器、３はカーナビゲーション装置、４は入口料金所制御装置、５は出口料金所制御装置、６は通信ネットワーク、７はサーバ、２１は制御回路、２３は表示装置、２９は通信装置、３０は操作スイッチ、３１は制御回路、３２はＧＰＳ受信機、３４は表示装置、３５は音声出力装置、３６はＨＤＤ、３７は通信装置を示す。
【図１】
2006107262.tif 000003
【図２】
2006107262.tif 000004
【図３】
2006107262.tif 000005
【図４】
2006107262.tif 000006
【図５】
2006107262.tif 000007
【図６】
2006107262.tif 000008
【図７】
2006107262.tif 000009
【図８】
2006107262.tif 000010
【図９】
2006107262.tif 000011
【図１０】
2006107262.tif 000012
【図１１】
2006107262.tif 000013
【図１２】
2006107262.tif 000014
【図１３】
2006107262.tif 000015
【図１４】
2006107262.tif 000016
【図１５】
2006107262.tif 000017
【図１６】
2006107262.tif 000018
【図１７】
2006107262.tif 000019